(57)【特許請求の範囲】
【請求項１】
エアーハンマー本体に先端工具が装着されているエアーハンマー工具であって、
エアーハンマー本体の先端部には、先端筒部が形成され、
該先端筒部の内部空間は、エアーハンマー本体内を往復動するハンマーの少なくとも一部が挿通可能なハンマー先端通孔部を介して該エアーハンマー本体内と連通しており、
該先端筒部の先端における外周面には、キャップが螺着されてなり、
該キャップには、先端工具通孔部が貫通状に形成されており、
該先端工具通孔部には、前記先端工具が該先端工具の基端から挿通されてなり、
該キャップの基端側であって前記先端工具の軸周りには、軸受け部が装填されてなり、
該軸受け部の基端側であって前記先端工具の軸周りには、コイルスプリングが外嵌装着されてなり、
前記先端工具の基端には、フランジ部が形成されており、該フランジ部と前記コイルスプリングの基端との間に、該先端工具の軸周り方向に複数分割されたフランジ付きの割カラーが該先端工具の軸に沿うように圧入されて該割カラーのフランジ部が介挿されてなり、かつ、該割カラーのフランジ部と前記軸受け部との間で該コイルスプリングが弾縮状態とされており、
前記ハンマーの先端は、前記ハンマー先端通孔部を介して前記内部空間に位置する前記先端工具の基端を打撃可能とされ、
前記ハンマーが前記先端工具の基端を打撃した際には、該先端工具が前記コイルスプリングの付勢力に抗して前進し、
前記ハンマーが前記先端工具の基端を打撃していないときには、前記コイルスプリングの付勢力によって該先端工具の基端が前記ハンマー先端通孔部の周縁部に圧接されている
ことを特徴とするエアーハンマー工具。
【請求項２】
前記先端筒部周りにハウジングが装着され、該先端筒部の外周面と該ハウジングの内周面との間の空間に消音材が充填されている
請求項１に記載のエアーハンマー工具。
【請求項３】
前記エアーハンマー本体内に圧入された気体によってハンマーを往復動させ、これによって得た打撃力を、前記先端工具を介して打撃対象に付与する請求項１又は請求項２に記載のエアーハンマー工具にあって、
前記先端筒部に対する前記キャップの螺着位置を変更することで前記割カラーのフランジ部と前記軸受け部との離間距離を変更し、これにより前記コイルスプリングの弾縮力を変更することで前記打撃力を調整するようにしたことを特徴とするエアーハンマー工具の打撃力調整方法。
【請求項４】
前記エアーハンマー本体内に圧入された気体によってハンマーを往復動させ、これによって得た打撃力を、前記先端工具を介して打撃対象に付与する請求項１又は請求項２に記載のエアーハンマー工具にあって、
前記フランジ付きの割カラーを交換することで該割カラーのフランジ部と前記軸受け部との離間距離を変更して前記コイルスプリングの弾縮力を変更することにより前記打撃力を調整するようにしたことを特徴とするエアーハンマー工具の打撃力調整方法。
【発明の詳細な説明】
【技術分野】
【０００１】
本発明は、圧縮空気によってハンマーを往復動させるエアーハンマー工具に関する。
【背景技術】
【０００２】
従来、ハンドタイプの衝撃工具としては、圧縮空気を駆動源としたエアーハンマー工具が知られている。このようなエアーハンマー工具は、前後摺動可能なハンマーを備え、ハンマーの後端側に導入された圧縮空気によってハンマーが前進して先端工具に衝撃が与えられる。
【０００３】
例えば特許文献１には、スナップ（先端工具）の先端側をくぐらせて装着した引張コイルバネによって該スナップが保持されている構成が開示されている。
【０００４】
また特許文献２には、ハンマ（先端工具）の先端側をくぐらせて装着した戻しスプリングがチゼルホルダ内に設けられている構成が開示されている。
【先行技術文献】
【特許文献】
【０００５】
【特許文献１】実開平７−２０２７４号公報
【特許文献２】実開昭６３−３２７７８号公報
【発明の概要】
【発明が解決しようとする課題】
【０００６】
しかしながら、上記特許文献１，２に開示されているエアーハンマーにあっては、いずれも先端工具の先端側から引張コイルバネ（戻しスプリング）、あるいはチゼルホルダを挿通して装置全体を組み付けていく必要があり、先端工具の先端の幅や形状によってはくぐらせることができずに組み付けできない場合があった。例えば、先端工具の先端の径が大きくなれば、引張コイルバネや戻しスプリングの内径あるいはチゼルホルダの開口径を大きくしたものが必要となり、これに伴い装置全体が大型化してしまう。
【０００７】
そこで本発明は、先端が径大な先端工具であっても装置全体が大型化することを防止できるエアーハンマー工具、及びかかるエアーハンマー工具の打撃力調整方法を提供することを目的とする。
【課題を解決するための手段】
【０００８】
本発明は、エアーハンマー本体に先端工具が装着されているエアーハンマー工具であって、エアーハンマー本体の先端部には、先端筒部が形成され、該先端筒部の内部空間は、エアーハンマー本体内を往復動するハンマーの少なくとも一部が挿通可能なハンマー先端通孔部を介して該エアーハンマー本体内と連通しており、該先端筒部の先端における外周面には、キャップが螺着されてなり、該キャップには、先端工具通孔部が貫通状に形成されており、該先端工具通孔部には、前記先端工具が該先端工具の基端から挿通されてなり、該キャップの基端側であって前記先端工具の軸周りには、軸受け部が装填されてなり、該軸受け部の基端側であって前記先端工具の軸周りには、コイルスプリングが外嵌装着されてなり、前記先端工具の基端には、フランジ部が形成されており、該フランジ部と前記コイルスプリングの基端との間に、該先端工具の軸周り方向に複数分割されたフランジ付きの割カラーが該先端工具の軸に沿うように圧入されて該割カラーのフランジ部が介挿されてなり、かつ、該割カラーのフランジ部と前記軸受け部との間で該コイルスプリングが弾縮状態とされており、前記ハンマーの先端は、前記ハンマー先端通孔部を介して前記内部空間に位置する前記先端工具の基端を打撃可能とされ、前記ハンマーが前記先端工具の基端を打撃した際には、該先端工具が前記コイルスプリングの付勢力に抗して前進し、前記ハンマーが前記先端工具の基端を打撃していないときには、前記コイルスプリングの付勢力によって該先端工具の基端が前記ハンマー先端通孔部の周縁部に圧接されている
ことを特徴とするエアーハンマー工具である。
【０００９】
かかる構成にあって、前記キャップの先端工具通孔部に前記先端工具が貫通状に配されるところ、該先端工具通孔部には、前記先端工具の基端から挿通されるため、該先端工具の先端が幅広形状であっても、装置を大型化することなくエアーハンマー本体に該先端工具を装着固定することができる。さらに、該先端工具の軸周りに振動吸収のためのコイルスプリングを設けるに際し、前記割カラーを圧入するようにして該コイルスプリングを弾縮状態で配置するようにしたため、該先端工具の軸周りが大型化してしまうことがない。
【００１０】
また、前記先端筒部周りにハウジングが装着され、該先端筒部の外周面と該ハウジングの内周面との間の空間に消音材が充填されている構成が提案される。
【００１１】
かかる構成とすることによって、前記ハンマーの先端と前記先端工具の基端との打撃時に発生する騒音を前記消音材によって低減することができる。上記したように、本発明のエアーハンマー工具は、先端工具の軸周りをコンパクト化することができるため、消音材を充填するスペースを十分に確保することができる。
【００１２】
また本発明は、前記エアーハンマー本体内に圧入された気体によってハンマーを往復動させ、これによって得た打撃力を、前記先端工具を介して打撃対象に付与する上述のエアーハンマー工具にあって、前記先端筒部に対する前記キャップの螺着位置を変更することで前記割カラーのフランジ部と前記軸受け部との離間距離を変更し、これにより前記コイルスプリングの弾縮力を変更することで前記打撃力を調整するようにしたことを特徴とするエアーハンマー工具の打撃力調整方法である。
【００１３】
かかる構成にあっては、キャップがエアーハンマー本体側で螺着されるほどコイルスプリングの弾縮力が増大し、先端工具が打撃対象を押さえつける力が増して打撃力が向上する。一方、キャップがエアーハンマー本体から遠い位置で螺着されるほどコイルスプリングの弾縮力が減少し、先端工具が打撃対象を押さえつける力が減ぜられて打撃力が抑えられる。
【００１４】
また本発明は、前記エアーハンマー本体内に圧入された気体によってハンマーを往復動させ、これによって得た打撃力を、前記先端工具を介して打撃対象に付与する上述のエアーハンマー工具にあって、前記フランジ付きの割カラーを交換することで該割カラーのフランジ部と前記軸受け部との離間距離を変更して前記コイルスプリングの弾縮力を変更することにより前記打撃力を調整するようにしたことを特徴とするエアーハンマー工具の打撃力調整方法である。
【００１５】
かかる構成にあっては、割カラーのフランジ部と軸受け部との離間距離が短くなるとコイルスプリングの弾縮力が増大し、先端工具が打撃対象を押さえつける力が増して打撃力が向上する。一方、割カラーのフランジ部と軸受け部との離間距離が長くなるとコイルスプリングの弾縮力が減少し、先端工具が打撃対象を押さえつける力が減ぜられて打撃力が抑えられる。
【発明の効果】
【００１６】
本発明のエアーハンマー工具は、先端工具の先端が幅広であっても、エアーハンマー本体の先端部に形成されている装着部位が大型化しないという優れた効果がある。
【００１７】
また、本発明の打撃力調整方法は、作業中にキャップ位置を変更するだけで打撃力を調整することができる効果がある。
【００１８】
また、本発明の打撃力調整方法は、異なる寸法形状の割カラーへ交換するだけで打撃力を調整することができる効果がある。
【図面の簡単な説明】
【００１９】
【図１】非打撃状態のエアーハンマー工具を示す縦断面図である。
【図２】エアーハンマー工具の組み付け工程を示す説明図である。
【図３】エアーハンマー工具の組み付け工程を示す説明図である。
【図４】割カラーを示し、（ａ）は正面図、（ｂ）は縦断面図である。
【図５】打撃状態のエアーハンマー工具を示す縦断面図である。
【発明を実施するための形態】
【００２０】
以下、本発明を具体化した実施例を詳細に説明する。なお、本発明は、下記に示す実施例に限定されることはなく、適宜設計変更が可能である。ところで実施例を説明する際には、便宜上、前後方向を規定して説明する場合があるが、このことは、本発明が下記実施例で定められた方向にのみ限定されて使用されるものではない。
【００２１】
図１に示すように、前記エアーハンマー工具１は、略円筒状のエアーハンマー本体２を備えており、図示しないエアホースから圧縮空気が供給される。また、該エアーハンマー本体２には、操作スイッチ３及び該操作スイッチ３を押し込むためのレバー４が配設されている。
【００２２】
さらに、前記エアーハンマー本体２内には、前後方向を長手方向としたシリンダ部５が設けられており、該シリンダ部５内に、前後摺動自在なハンマー１０が装填されている。該ハンマー１０は、該シリンダ部５の内径と略同一の外径である円柱形状の本体部１１と、該本体部１１から前側へ向かって突き出されている該本体部１１より径の小さい径小部１２と、を具備している。そして、該径小部１２の先端、すなわち該ハンマー１０の先端１３が、後述する先端工具４０の基端４０ａに衝突する。
【００２３】
また、前記エアーハンマー本体２におけるシリンダ部５の前端には、前記ハンマー１０の径小部１２が挿通可能なハンマー先端通孔部１５が設けられている。該ハンマー先端通孔部１５は、該エアーハンマー本体２のシリンダ部５よりも前側に形成された先端筒部２０の内部空間２１に連通している。さらに、該先端筒部２０の前側外周面にはキャップ用ネジ溝２２が設けられている。
【００２４】
前記先端筒部２０の先端には、主要部を構成する円板部３１と、該円板部３１の外周から立ち上がる環状の壁部３２とからなるキャップ３０が螺着している。さらに詳述すると、該壁部３２の内側には、筒部用ネジ溝３３が形成され、前記キャップ用ネジ溝２２と筒部用ネジ溝３３とが螺合することにより、該キャップ３０が前記先端筒部２０に組み付けられる。
【００２５】
また、前記キャップ３０にあって、円板部３１の中央には、先端工具通孔部３４が前後方向に沿って貫通状に形成されている。また、前記壁部３２の外周面には、ハウジング用ネジ溝３５が設けられている。さらに、該キャップ３０には、該先端筒部２０に対して該キャップ３０が緩むことを防止するための留めリング３６が取り付け可能とされている。
【００２６】
さらに、前記キャップ３０の先端工具通孔部３４には、先端工具４０の本体部４１の軸部４２が該先端工具４０の基端４０ａ側から挿通されている。該軸部４２の基端４０ａには、フランジ部４３が形成されていると共に、該フランジ部４３に隣接して径小部４４が形成されている。また、該径小部４４に隣接する位置には、テーパ部４５が形成されている。
【００２７】
前記本体部４１の軸部４２の前側には、軸部４２より径大（幅広）なジョイント部４６が設けられている。さらに詳述すると、該ジョイント部４６には、前記エアーハンマー工具１を使用してワークを加工する際に該ワークに接触する加工部４７ａを先端に有する交換式加工体４７がＯリング４６ａを介して脱着自在に組み付けられる。
【００２８】
前記内部空間２１における前記キャップ３０の後側に形成される空間にあって、前記先端工具４０における本体部４１の軸部４２周りには、ブッシュ５１及びリング体５２が取り付けられている。なお、該ブッシュ５１と該リング体５２とによって、軸受け部５０が構成されている。
【００２９】
さらに、前記内部空間２１における前記リング体５２の後側位置にあっては、コイルスプリング５５が前記軸部４２の軸周りに外嵌装着されている。また、該コイルスプリング５５の基端と前記先端工具４０のフランジ部４３との間には、該軸部４２の径小部４４の軸周りに２分割されたフランジ付きの割カラー５６が圧入されている。これにより、前記エアーハンマー工具１にあって、該リング体５２と該割カラー５６のフランジ部との間に装着されたコイルスプリング５５は弾縮状態とされる。
【００３０】
また、前記エアーハンマー本体２の前端部の外周には、リング状のハウジング留部６１が取り付けられている。また、前記キャップ３０における壁部３２の外周のハウジング用ネジ溝３５と螺着可能なキャップ用ネジ溝６３が内周面に設けられたハウジング６２が、前記先端筒部２０及び該キャップ３０の外周に取り付けられている。さらに、該ハウジング留部６１に対して該ハウジング６２が緩まないように留めリング６４が取り付けられている。該先端筒部２０の外周面と該ハウジング６２の内周面との間には空間６５が形成されており、該空間６５には消音材６６として布切れが充填されている。
【００３１】
前記エアーハンマー本体２に前記先端工具４０を組み付ける工程を詳述する。
まず、図２に示したように、前記エアーハンマー本体２のシリンダ部５の前端に前記先端筒部２０が設けられ、さらに前記ハウジング留部６１が取り付けられた状態で、前記キャップ３０の先端工具通孔部３４に、前記先端工具４０を該先端工具４０の基端４０ａ側から挿通する。そして、該先端工具通孔部３４に挿通された該先端工具４０の基端４０ａ側から軸部４２周りに前記ブッシュ５１、前記リング体５２、そして前記コイルスプリング５５の順に外嵌する。
【００３２】
その後、図３に示したように、前記先端工具４０のフランジ部４３と前記コイルスプリング５５の基端との間に、２分割された割カラー５６（図４参照）を圧入する。この状態では、該コイルスプリング５５の付勢力によって、前記キャップ３０の先端工具通孔部３４に、該先端工具４０の軸部４２の全てが挿通され、該軸部４２から前側に径大となって形成されている前記ジョイント部４６の基端が当接している。
【００３３】
この状態で前記先端筒部２０のキャップ用ネジ溝２２と前記キャップ３０の筒部用ネジ溝３３とを螺合して留めリング３６を取り付け、さらに前記空間６５に消音材６６を充填しつつ該キャップ３０のハウジング用ネジ溝３５と前記ハウジング６２のキャップ用ネジ溝６３とを螺着して留めリング６４を取り付ける。この時前記コイルスプリング５５が弾縮状態とされ、前記先端工具通孔部３４と前記ジョイント部４６とが離開した状態とされる。
【００３４】
図１に示した状態は、前記ハンマー１０の先端１３が前記先端工具４０の基端４０ａに衝突していない非打撃状態であり、該先端工具４０の基端４０ａは、前記コイルスプリング５５の付勢力によって前記ハンマー先端通孔部１５の周縁部に圧接している。
【００３５】
これに対して、図５に示した状態は、前記レバー４を握り込んで前記操作スイッチ３を押し込むことで圧縮空気を前記シリンダ部５内に導入し、前記ハンマー１０の先端１３が前記先端工具４０の基端４０ａを打撃する打撃状態であり、該先端工具４０が前記コイルスプリング５５の付勢力に抗して前進している。なお、該ハンマー１０が連続的に往復動する構成であってもよいし、単発的に往復動する構成であってもよい。
【００３６】
前記打撃状態にあっては、前記ハンマー１０の先端１３が前記先端工具４０の基端４０ａを打撃する衝撃音が発生するが、前記空間６５に充填された消音材６６によって衝撃音は減衰される。さらに、該先端工具４０の軸部４２を小径とすることができるため、前記コイルスプリング５５も径小とすることができ、前記ハウジング６２の周辺部をコンパクト化することができる。
【００３７】
ところで、前記先端筒部２０に対する前記キャップ３０の螺着位置を変更することで前記割カラー５６のフランジ部と前記軸受け部５０との離間距離を変更し、これにより前記コイルスプリング５５の弾縮力を変更することで前記打撃力を調整することができる。具体的には、キャップ３０がエアーハンマー本体２側で螺着されるほどコイルスプリング５５の弾縮力が増大し、先端工具４０が打撃対象（ワーク）を押さえつける力が増して打撃力が向上する。一方、キャップ３０がエアーハンマー本体２から遠い位置で螺着されるほどコイルスプリング５５の弾縮力が減少し、先端工具４０が打撃対象を押さえつける力が減ぜられて打撃力が抑えられる。
【００３８】
また、前記フランジ付きの割カラー５６を交換することで該割カラー５６のフランジ部と前記軸受け部５０との離間距離を変更して前記コイルスプリング５５の弾縮力を変更することにより前記打撃力を調整することができる。
【００３９】
具体的には、割カラー５６のフランジ部と軸受け部５０との離間距離が短くなるとコイルスプリング５５の弾縮力が増大し、先端工具４０が打撃対象を押さえつける力が増して打撃力が向上する。一方、割カラー５６のフランジ部と軸受け部５０との離間距離が長くなるとコイルスプリング５５の弾縮力が減少し、先端工具４０が打撃対象を押さえつける力が減ぜられて打撃力が抑えられる。
【００４０】
また、前記先端工具４０の前後方向の可動可能距離を適宜変更して、打撃力を調整するようにしてもよい。
【符号の説明】
【００４１】
１          エアーハンマー工具
２          エアーハンマー本体
１０        ハンマー
１５        ハンマー先端通孔部
２０        先端筒部
２１        内部空間
３０        キャップ
３４        先端工具通孔部
４０        先端工具
４０ａ      基端
４１        本体部
４２        軸部
４３        フランジ部
５０        軸受け部
５５        コイルスプリング
５６        割カラー
６２        ハウジング
６５        空間
６６        消音材
【図１】
0005858259.tif 000002
【図２】
0005858259.tif 000003
【図３】
0005858259.tif 000004
【図４】
0005858259.tif 000005
【図５】
0005858259.tif 000006